(57)【要約】      （修正有）【課題】研磨効率の良い水晶研磨装置を提供する。【解決手段】主体１０及び主体の中に設置された第一スライドチャンバ１７を含み、第一スライドチャンバの中には第一スライドブロック１５が設置され、第一スライドブロックの頂壁の中には第二スライドチャンバ２８が設置され、第二スライドチャンバの左右端壁の中には伝動チャンバ１６が対称的に設置され、第二スライドチャンバの中には第二スライドブロック１８が設置され、第二スライドブロックの頂壁には水晶固定溝１９が設置され、第二スライドブロックの中にはネジ山孔２０が設置され、ネジ山孔の中にはネジ山ロッド２７がネジ山により連結される。【選択図】図１
2020179495.tif 000002
【特許請求の範囲】
【請求項１】
正面視で、主体及び前記主体の中に設置された第一スライドチャンバを含み、前記第一スライドチャンバの中には第一スライドブロックが設置され、前記第一スライドブロックの頂壁の中には第二スライドチャンバが設置され、前記第二スライドチャンバの左右端壁の中には伝動チャンバが対称的に設置され、前記第二スライドチャンバの中には第二スライドブロックが設置され、前記第二スライドブロックの頂壁には水晶固定溝が設置され、前記第二スライドブロックの中にはネジ山孔が設置され、前記ネジ山孔の中にはネジ山ロッドがネジ山により連結され、前記ネジ山ロッドの左右両側の末端が前記伝動チャンバの中に伸びており、且つ前記ネジ山ロッドの左右両側の末端には第一ベベルギヤが固定的に設置され、前記伝動チャンバの中にはスプラインスリーブが回転できるように設置され、前記スプラインスリーブの外面には前記第一ベベルギヤと噛み合っている第二ベベルギヤが固定的に設置され、前記スプラインスリーブの中にはスプライン孔が設置され、前記スプライン孔の中にはスプライン軸がスプラインにより連結され、前記スプライン軸の底部末端が前記第一スライドチャンバの底壁の中に設置されたベルトチャンバの中に伸びており、且つ前記スプライン軸の底部末端には第一プーリが固定的に装着され、前記第一スライドチャンバの底壁の中には第一スライド溝が設置され、前記第一スライド溝の左右端壁の中にはロック溝が設置され、前記第一スライド溝の中には前記第一スライドブロックと固定的に連結された第一スライドロッドが設置され、前記第一スライドロッドと前記第一スライド溝の端壁との間には第一復帰装置が弾性を持つように設置され、前記第二スライドチャンバの底壁の中には第二スライド溝が設置され、前記第二スライド溝の中には第二スライドロッドが設置され、前記第二スライドロッドと前記第二スライド溝の端壁との間には第二復帰装置が弾性を持つように設置され、前記第二スライド溝の左右端壁の中には第三スライド溝が設置され、前記第三スライド溝の中には内部に斜め孔が設置された第三スライドロッドが設置され、左右二つの前記第三スライドロッドの間には押圧バネが設置され、前記第三スライドロッドが移動して前記ロック溝から出て、この時、前記第一スライドブロックが前記第一復帰装置の作用のもとで上方へ移動することを特徴とする水晶研磨装置。
【請求項２】
前記主体の頂壁には前後対称の凸台が固定的に設置され、後側の前記凸台の中には噛み合いチャンバが設置され、前記噛み合いチャンバの前側壁の中には第一回転軸が回転できるように設置され、前記噛み合いチャンバの中の前記第一回転軸の末端には第三ベベルギヤが固定的に設置され、前記第一回転軸のうち前記噛み合いチャンバから離れている片側には第四ベベルギヤが固定的に設置され、前記噛み合いチャンバの底壁の中にはギヤチャンバが設置され、前記ギヤチャンバと左右二つの前記ベルトチャンバとの間には第二回転軸が回転できるように設置され、前記ベルトチャンバの中の前記第二回転軸の末端には第二プーリが固定的に設置され、前記第二プーリと前記第一プーリとの間はベルトにより伝動できるように連結され、前記ギヤチャンバの中の前記第二回転軸の末端には第一ギヤが固定的に設置され、前記噛み合いチャンバと前記ギヤチャンバとの間には第三回転軸が回転できるように設置され、前記噛み合いチャンバの中の前記第三回転軸の末端には前記第三ベベルギヤと噛み合っている第五ベベルギヤが固定的に設置され、前記ギヤチャンバの中の前記第三回転軸の底部が前記ギヤチャンバの底壁の中に固定的に設置された第一モータと動力が伝達できるように連結され、前記ギヤチャンバの中の前記第三回転軸の外面には第二ギヤと、前記第二ギヤの上方に位置している回転ロッドが固定的に設置され、前記回転ロッドの底壁の中には前記第二ギヤと左側の前記第一ギヤと噛み合っている第三ギヤが回転できるように設置され、前記ギヤチャンバの頂壁の中には第四スライド溝が設置され、前記第四スライド溝の中には第四スライドロッドがスライドできるように設置され、前記第四スライドロッドの中には空きチャンバが設置され、前記空きチャンバの上下端壁には第一ラックが対称的に設置され、前記第四スライドロッドの底部には前記回転ロッドの両側に位置しているリミットブロックが固定的に設置され、前記第四スライド溝の前側壁の中にはラチェットギヤチャンバが設置され、前記ラチェットギヤチャンバと前記第四スライド溝との間には第四回転軸が回転できるように設置され、前記第四スライド溝の中の前記第四回転軸の末端にはセクタギヤが固定的に設置され、前記ラチェットギヤチャンバの前側壁の中にはラックチャンバが設置され、前記ラチェットギヤチャンバと前記ラックチャンバとの間には第五回転軸が回転できるように設置され、前記ラチェットギヤチャンバの中の前記第五回転軸と前記第四回転軸との間にはラチェットギヤ装置が設置され、前記ラックチャンバの中の前記第五回転軸の末端には第四ギヤが固定的に設置され、前記第一スライドチャンバの底壁の中には前記ラックチャンバを貫通している第五スライド溝が設置され、前記第五スライド溝の中には前記第四ギヤと噛み合っている第二ラックがスライドできるように設置され、前記第二ラックが前記第一スライドブロックと固定的に連結され、前記第一モータが回転して前記第二スライドブロックを連動させて左右へ移動させることを特徴とする請求項１に記載の水晶研磨装置。
【請求項３】
前側の前記凸台の中にはウォームホイールチャンバが設置され、前記ウォームホイールチャンバの前側壁の中には回転チャンバが設置され、前記ウォームホイールチャンバの底壁の中にはカムチャンバが設置され、前記ウォームホイールチャンバの中には第六回転軸が回転できるように設置され、前記ウォームホイールチャンバの中の前記第六回転軸の外面にはウォームホイールが固定的に設置され、前記第六回転軸の後側末端には回転台が固定的に設置され、前記第六回転軸の前側末端が前記回転チャンバに伸びており、且つ前記第六回転軸の前側末端には第五ギヤが固定的に設置され、前記カムチャンバと前記回転チャンバとの間には第七回転軸が回転できるように設置され、前記カムチャンバの中の前記第七回転軸の末端にはカムが固定的に設置され、前記回転チャンバの中の前記第七回転軸の末端には前記第五ギヤと噛み合っている第六ギヤが固定的に設置され、前記ウォームホイールチャンバの中にはウォームホイールと噛み合っているウォームが回転できるように設置され、前記ウォームの末端が前記ウォームホイールチャンバの端壁の中に固定的に設置された第二モータと動力が伝達できるように連結され、前記回転台の中には収容チャンバが設置され、前記収容チャンバの端壁の中には三組の第八回転軸が中心対称的に、且つ回転できるように設置され、前記収容チャンバの中の前記第八回転軸の末端には第五ベベルギヤが固定的に設置され、前記第八回転軸のうち前記収容チャンバから離れている片側の末端には異なるメッシュ数の研磨ブロックが固定的に設置され、前記回転台が百二十度回転し、これにより精度がもっと高い研磨ブロックを取り替えることを特徴とする請求項１に記載の水晶研磨装置。
【発明の詳細な説明】
【技術分野】
【０００１】
本発明は水晶加工分野を取り上げて、具体的には水晶研磨装置である。
【背景技術】
【０００２】
人々は水晶を研磨する時、いつも水晶の研磨に対する精度の要求が高いので異なるメッシュ数の研磨ブロックを取り替えて研磨をし、従来の研磨設備は便利に研磨ブロックを取り替えることができないため、研磨効率が低く、そこで、上記の問題を解決するために水晶研磨装置が必要となる。
【先行技術文献】
【特許文献】
【０００３】
【特許文献１】中国特許出願公開第１０４３０８６８８号明細書
【発明の概要】
【発明が解決しようとする課題】
【０００４】
本発明は水晶研磨装置を提供し、従来技術における上記欠点を解消し、設備の実用性を高めることを目的とする。
【課題を解決するための手段】
【０００５】
本発明の水晶研磨装置は、主体及び前記主体の中に設置された第一スライドチャンバを含み、前記第一スライドチャンバの中には第一スライドブロックが設置され、前記第一スライドブロックの頂壁の中には第二スライドチャンバが設置され、前記第二スライドチャンバの左右端壁の中には伝動チャンバが対称的に設置され、前記第二スライドチャンバの中には第二スライドブロックが設置され、前記第二スライドブロックの頂壁には水晶固定溝が設置され、前記第二スライドブロックの中にはネジ山孔が設置され、前記ネジ山孔の中にはネジ山ロッドがネジ山により連結され、前記ネジ山ロッドの左右両側の末端が前記伝動チャンバの中に伸びており、且つ前記ネジ山ロッドの左右両側の末端には第一ベベルギヤが固定的に設置され、前記伝動チャンバの中にはスプラインスリーブが回転できるように設置され、前記スプラインスリーブの外面には前記第一ベベルギヤと噛み合っている第二ベベルギヤが固定的に設置され、前記スプラインスリーブの中にはスプライン孔が設置され、前記スプライン孔の中にはスプライン軸がスプラインにより連結され、前記スプライン軸の底部末端が前記第一スライドチャンバの底壁の中に設置されたベルトチャンバの中に伸びており、且つ前記スプライン軸の底部末端には第一プーリが固定的に装着され、前記第一スライドチャンバの底壁の中には第一スライド溝が設置され、前記第一スライド溝の左右端壁の中にはロック溝が設置され、前記第一スライド溝の中には前記第一スライドブロックと固定的に連結された第一スライドロッドが設置され、前記第一スライドロッドと前記第一スライド溝の端壁との間には第一復帰装置が弾性を持つように設置され、前記第二スライドチャンバの底壁の中には第二スライド溝が設置され、前記第二スライド溝の中には第二スライドロッドが設置され、前記第二スライドロッドと前記第二スライド溝の端壁との間には第二復帰装置が弾性を持つように設置され、前記第二スライド溝の左右端壁の中には第三スライド溝が設置され、前記第三スライド溝の中には内部に斜め孔が設置された第三スライドロッドが設置され、左右二つの前記第三スライドロッドの間には押圧バネが設置され、前記第三スライドロッドが移動して前記ロック溝から出て、この時、前記第一スライドブロックが前記第一復帰装置の作用のもとで上方へ移動する。
【０００６】
好ましくは、前記主体の頂壁には前後対称の凸台が固定的に設置され、後側の前記凸台の中には噛み合いチャンバが設置され、前記噛み合いチャンバの前側壁の中には第一回転軸が回転できるように設置され、前記噛み合いチャンバの中の前記第一回転軸の末端には第三ベベルギヤが固定的に設置され、前記第一回転軸のうち前記噛み合いチャンバから離れている片側には第四ベベルギヤが固定的に設置され、前記噛み合いチャンバの底壁の中にはギヤチャンバが設置され、前記ギヤチャンバと左右二つの前記ベルトチャンバとの間には第二回転軸が回転できるように設置され、前記ベルトチャンバの中の前記第二回転軸の末端には第二プーリが固定的に設置され、前記第二プーリと前記第一プーリとの間はベルトにより伝動できるように連結され、前記ギヤチャンバの中の前記第二回転軸の末端には第一ギヤが固定的に設置され、前記噛み合いチャンバと前記ギヤチャンバとの間には第三回転軸が回転できるように設置され、前記噛み合いチャンバの中の前記第三回転軸の末端には前記第三ベベルギヤと噛み合っている第五ベベルギヤが固定的に設置され、前記ギヤチャンバの中の前記第三回転軸の底部が前記ギヤチャンバの底壁の中に固定的に設置された第一モータと動力が伝達できるように連結され、前記ギヤチャンバの中の前記第三回転軸の外面には第二ギヤと、前記第二ギヤの上方に位置している回転ロッドが固定的に設置され、前記回転ロッドの底壁の中には前記第二ギヤと左側の前記第一ギヤと噛み合っている第三ギヤが回転できるように設置され、前記ギヤチャンバの頂壁の中には第四スライド溝が設置され、前記第四スライド溝の中には第四スライドロッドがスライドできるように設置され、前記第四スライドロッドの中には空きチャンバが設置され、前記空きチャンバの上下端壁には第一ラックが対称的に設置され、前記第四スライドロッドの底部には前記回転ロッドの両側に位置しているリミットブロックが固定的に設置され、前記第四スライド溝の前側壁の中にはラチェットギヤチャンバが設置され、前記ラチェットギヤチャンバと前記第四スライド溝との間には第四回転軸が回転できるように設置され、前記第四スライド溝の中の前記第四回転軸の末端にはセクタギヤが固定的に設置され、前記ラチェットギヤチャンバの前側壁の中にはラックチャンバが設置され、前記ラチェットギヤチャンバと前記ラックチャンバとの間には第五回転軸が回転できるように設置され、前記ラチェットギヤチャンバの中の前記第五回転軸と前記第四回転軸との間にはラチェットギヤ装置が設置され、前記ラックチャンバの中の前記第五回転軸の末端には第四ギヤが固定的に設置され、前記第一スライドチャンバの底壁の中には前記ラックチャンバを貫通している第五スライド溝が設置され、前記第五スライド溝の中には前記第四ギヤと噛み合っている第二ラックがスライドできるように設置され、前記第二ラックが前記第一スライドブロックと固定的に連結され、前記第一モータが回転して前記第二スライドブロックを連動させて左右へ移動させる。
【０００７】
好ましくは、前側の前記凸台の中にはウォームホイールチャンバが設置され、前記ウォームホイールチャンバの前側壁の中には回転チャンバが設置され、前記ウォームホイールチャンバの底壁の中にはカムチャンバが設置され、前記ウォームホイールチャンバの中には第六回転軸が回転できるように設置され、前記ウォームホイールチャンバの中の前記第六回転軸の外面にはウォームホイールが固定的に設置され、前記第六回転軸の後側末端には回転台が固定的に設置され、前記第六回転軸の前側末端が前記回転チャンバに伸びており、且つ前記第六回転軸の前側末端には第五ギヤが固定的に設置され、前記カムチャンバと前記回転チャンバとの間には第七回転軸が回転できるように設置され、前記カムチャンバの中の前記第七回転軸の末端にはカムが固定的に設置され、前記回転チャンバの中の前記第七回転軸の末端には前記第五ギヤと噛み合っている第六ギヤが固定的に設置され、前記ウォームホイールチャンバの中にはウォームホイールと噛み合っているウォームが回転できるように設置され、前記ウォームの末端が前記ウォームホイールチャンバの端壁の中に固定的に設置された第二モータと動力が伝達できるように連結され、前記回転台の中には収容チャンバが設置され、前記収容チャンバの端壁の中には三組の第八回転軸が中心対称的に、且つ回転できるように設置され、前記収容チャンバの中の前記第八回転軸の末端には第五ベベルギヤが固定的に設置され、前記第八回転軸のうち前記収容チャンバから離れている片側の末端には異なるメッシュ数の研磨ブロックが固定的に設置され、前記回転台が百二十度回転し、これにより精度がもっと高い研磨ブロックを取り替える。
【発明の効果】
【０００８】
本発明の有益効果は：本発明の設備は異なる精度の研磨ブロックを連動させて水晶を研磨させることができ、設備は自動的に研磨ブロックを取り替えることができるだけではなく、水晶を自動的に連動させて左右へ移動させることができ、使用しやすく、研磨の精度が高い。
【図面の簡単な説明】
【０００９】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶研磨装置の全体構成模式図
【図２】図２は図１のＡ―Ａの構成模式図
【図３】図３は図２のＢ―Ｂの構成模式図
【図４】図４は図２のＣの拡大構成模式図
【図５】図５は図４のＤ―Ｄの構成模式図
【図６】図６は図４のＥ―Ｅの構成模式図
【図７】図７は図４のＦ―Ｆの構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。  
【００１２】
図１〜７に示すように、本発明の水晶研磨装置は、主体１０及び前記主体１０の中に設置された第一スライドチャンバ１７を含み、前記第一スライドチャンバ１７の中には第一スライドブロック１５が設置され、前記第一スライドブロック１５の頂壁の中には第二スライドチャンバ２８が設置され、前記第二スライドチャンバ２８の左右端壁の中には伝動チャンバ１６が対称的に設置され、前記第二スライドチャンバ２８の中には第二スライドブロック１８が設置され、前記第二スライドブロック１８の頂壁には水晶固定溝１９が設置され、前記第二スライドブロック１８の中にはネジ山孔２０が設置され、前記ネジ山孔２０の中にはネジ山ロッド２７がネジ山により連結され、前記ネジ山ロッド２７の左右両側の末端が前記伝動チャンバ１６の中に伸びており、且つ前記ネジ山ロッド２７の左右両側の末端には第一ベベルギヤ１９が固定的に設置され、前記伝動チャンバ１６の中にはスプラインスリーブ３１が回転できるように設置され、前記スプラインスリーブ３１の外面には前記第一ベベルギヤ１９と噛み合っている第二ベベルギヤ３０が固定的に設置され、前記スプラインスリーブ３１の中にはスプライン孔３２が設置され、前記スプライン孔３２の中にはスプライン軸１４がスプラインにより連結され、前記スプライン軸１４の底部末端が前記第一スライドチャンバ１７の底壁の中に設置されたベルトチャンバ１２の中に伸びており、且つ前記スプライン軸１４の底部末端には第一プーリ１３が固定的に装着され、前記第一スライドチャンバ１７の底壁の中には第一スライド溝３９が設置され、前記第一スライド溝３９の左右端壁の中にはロック溝４３が設置され、前記第一スライド溝３９の中には前記第一スライドブロック１５と固定的に連結された第一スライドロッド４４が設置され、前記第一スライドロッド４４と前記第一スライド溝３９の端壁との間には第一復帰装置４５が弾性を持つように設置され、前記第二スライドチャンバ２８の底壁の中には第二スライド溝４１が設置され、前記第二スライド溝４１の中には第二スライドロッド３７が設置され、前記第二スライドロッド３７と前記第二スライド溝４１の端壁との間には第二復帰装置３６が弾性を持つように設置され、前記第二スライド溝４１の左右端壁の中には第三スライド溝３８が設置され、前記第三スライド溝３８の中には内部に斜め孔が設置された第三スライドロッド４２が設置され、左右二つの前記第三スライドロッド４２の間には押圧バネ４０が設置され、前記第三スライドロッド４２が移動して前記ロック溝４３から出て、この時、前記第一スライドブロック１５が前記第一復帰装置４５の作用のもとで上方へ移動する。
【００１３】
有益的には、前記主体１０の頂壁には前後対称の凸台８１が固定的に設置され、後側の前記凸台８１の中には噛み合いチャンバ５０が設置され、前記噛み合いチャンバ５０の前側壁の中には第一回転軸４７が回転できるように設置され、前記噛み合いチャンバ５０の中の前記第一回転軸４７の末端には第三ベベルギヤ４８が固定的に設置され、前記第一回転軸４７のうち前記噛み合いチャンバ５０から離れている片側には第四ベベルギヤ４６が固定的に設置され、前記噛み合いチャンバ５０の底壁の中にはギヤチャンバ７８が設置され、前記ギヤチャンバ７８と左右二つの前記ベルトチャンバ１２との間には第二回転軸７７が回転できるように設置され、前記ベルトチャンバ１２の中の前記第二回転軸７７の末端には第二プーリ３５が固定的に設置され、前記第二プーリ３５と前記第一プーリ１３との間はベルト３４により伝動できるように連結され、前記ギヤチャンバ７８の中の前記第二回転軸７７の末端には第一ギヤ７６が固定的に設置され、前記噛み合いチャンバ５０と前記ギヤチャンバ７８との間には第三回転軸５１が回転できるように設置され、前記噛み合いチャンバ５０の中の前記第三回転軸５１の末端には前記第三ベベルギヤ４８と噛み合っている第五ベベルギヤ４９が固定的に設置され、前記ギヤチャンバ７８の中の前記第三回転軸５１の底部が前記ギヤチャンバ７８の底壁の中に固定的に設置された第一モータ６５と動力が伝達できるように連結され、前記ギヤチャンバ７８の中の前記第三回転軸５１の外面には第二ギヤ６４と、前記第二ギヤ６４の上方に位置している回転ロッド７４が固定的に設置され、前記回転ロッド７４の底壁の中には前記第二ギヤ６４と左側の前記第一ギヤ７６と噛み合っている第三ギヤ７５が回転できるように設置され、前記ギヤチャンバ７８の頂壁の中には第四スライド溝８５が設置され、前記第四スライド溝８５の中には第四スライドロッド７３がスライドできるように設置され、前記第四スライドロッド７３の中には空きチャンバ８３が設置され、前記空きチャンバ８３の上下端壁には第一ラック８２が対称的に設置され、前記第四スライドロッド７３の底部には前記回転ロッド７４の両側に位置しているリミットブロック８４が固定的に設置され、前記第四スライド溝８５の前側壁の中にはラチェットギヤチャンバ７０が設置され、前記ラチェットギヤチャンバ７０と前記第四スライド溝８５との間には第四回転軸７１が回転できるように設置され、前記第四スライド溝８５の中の前記第四回転軸７１の末端にはセクタギヤ７２が固定的に設置され、前記ラチェットギヤチャンバ７０の前側壁の中にはラックチャンバ６６が設置され、前記ラチェットギヤチャンバ７０と前記ラックチャンバ６６との間には第五回転軸６８が回転できるように設置され、前記ラチェットギヤチャンバ７０の中の前記第五回転軸６８と前記第四回転軸７１との間にはラチェットギヤ装置６９が設置され、前記ラックチャンバ６６の中の前記第五回転軸６８の末端には第四ギヤ６７が固定的に設置され、前記第一スライドチャンバ１７の底壁の中には前記ラックチャンバ６６を貫通している第五スライド溝８０が設置され、前記第五スライド溝８０の中には前記第四ギヤ６７と噛み合っている第二ラック７９がスライドできるように設置され、前記第二ラック７９が前記第一スライドブロック１５と固定的に連結され、前記第一モータ６５が回転して前記第二スライドブロック１８を連動させて左右へ移動させる。
【００１４】
有益的には、前側の前記凸台８１の中にはウォームホイールチャンバ６２が設置され、前記ウォームホイールチャンバ６２の前側壁の中には回転チャンバ６１が設置され、前記ウォームホイールチャンバ６２の底壁の中にはカムチャンバ５６が設置され、前記ウォームホイールチャンバ６２の中には第六回転軸５８が回転できるように設置され、前記ウォームホイールチャンバ６２の中の前記第六回転軸５８の外面にはウォームホイール５７が固定的に設置され、前記第六回転軸５８の後側末端には回転台２５が固定的に設置され、前記第六回転軸５８の前側末端が前記回転チャンバ６１に伸びており、且つ前記第六回転軸５８の前側末端には第五ギヤ５９が固定的に設置され、前記カムチャンバ５６と前記回転チャンバ６１との間には第七回転軸５４が回転できるように設置され、前記カムチャンバ５６の中の前記第七回転軸５４の末端にはカム５３が固定的に設置され、前記回転チャンバ６１の中の前記第七回転軸５４の末端には前記第五ギヤ５９と噛み合っている第六ギヤ５５が固定的に設置され、前記ウォームホイールチャンバ６２の中にはウォームホイール５７と噛み合っているウォーム６０が回転できるように設置され、前記ウォーム６０の末端が前記ウォームホイールチャンバ６２の端壁の中に固定的に設置された第二モータ６３と動力が伝達できるように連結され、前記回転台２５の中には収容チャンバ２１が設置され、前記収容チャンバ２１の端壁の中には三組の第八回転軸２３が中心対称的に、且つ回転できるように設置され、前記収容チャンバ２１の中の前記第八回転軸２３の末端には第五ベベルギヤ３３が固定的に設置され、前記第八回転軸２３のうち前記収容チャンバ２１から離れている片側の末端には異なるメッシュ数の研磨ブロック２４が固定的に設置され、前記回転台２５が百二十度回転し、これにより精度がもっと高い研磨ブロック２４を取り替える。
【００１５】
以下、出願人は付図１〜７及び上記の本出願の水晶研磨装置の具体的な構成を参照してその作動プロセスを詳しく紹介する：
【００１６】
研磨待ちの水晶を水晶固定溝１９の中に置き、この時、第一モータ６５を始動して回転させ、これにより第五ベベルギヤ４９と、第三ベベルギヤ４８と、第四ベベルギヤ４６と、第五ベベルギヤ３３と、研磨ブロック２４とを連動させて回転させ、同時に第一モータ６５が回転して第二ギヤ６４と第三ギヤ７５とを連動させて回転させ、これにより左側の第一ギヤ７６と、第二プーリ３５と、第一プーリ１３と、スプライン軸１４と、スプラインスリーブ３１と、第二ベベルギヤ３０と、第一ベベルギヤ２９と、ネジ山ロッド２７とを連動させて回転させ、これにより第二スライドブロック１８を連動させて右方へ移動させ、これにより第二スライドロッド３７を連動させて下方へ移動させ、これにより第三スライドロッド４２を連動させて移動させてロック溝４３から出させ、この時、第一スライドブロック１５が第一復帰装置４５の作用のもとで上方へ移動し、これにより水晶を連動させて研磨ブロック２４と当接させ、この時、水晶が右方へ移動して研磨をし、第一スライドブロック１５が一番右側まで移動する時、第二スライドロッド３７が当接を失って上方へ移動し、第二モータ６３を始動して回転させ、これによりウォーム６０と、ウォームホイール５７と、回転台２５と、第五ギヤ５９とを連動させて回転させ、第五ギヤ５９が回転して第六ギヤ５５とカム６３とを連動させて回転させ、これにより第一スライドブロック１５を連動させて下方へ移動させ、これにより第二ラック７９を連動させて下方へ移動させ、これにより第四ギヤ６７を連動させて回転させ、この時、ラチェットギヤ装置６９が回転してセクタギヤ７２を連動させて回転させ、これにより第四スライドロッド７３を連動させて移動させ、これにより回転ロッド７４を連動させて回転させ、これにより第三ギヤ７５を連動させて右側の第一ギヤ７６と噛み合わせ、同時に第三スライド溝３８が下方へ移動してロック溝４３と同じ水平面に位置し、第三スライドロッド４２がロック溝４３の中に入って第一スライドブロック１５を第一スライドチャンバ１７の下方に固定し、同時に回転台２５が百二十度回転し、これにより精度がもっと高い研磨ブロック２４を取り替え、この時、第一モータ６５を再び始動して回転させ、これにより第二ギヤ６４と第三ギヤ７５とを連動させて回転させ、この時、第三ギヤ７５が右側の第一ギヤ７６と噛み合っているので、第三ギヤ７５が回転してネジ山ロッド２７を連動させて逆方向へ回転させ、これにより第二スライドブロック１８を連動させて左方へ移動させ、水晶を再び研磨し、三回研磨した後、水晶の研磨が完成する。
【００１７】
上記の詳しい分析から分かることは：本発明の設備は異なる精度の研磨ブロックを連動させて水晶を研磨させることができ、設備は自動的に研磨ブロックを取り替えることができるだけではなく、水晶を自動的に連動させて左右へ移動させることができ、使用しやすく、研磨の精度が高い。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020179495.tif 000003
【図２】
2020179495.tif 000004
【図３】
2020179495.tif 000005
【図４】
2020179495.tif 000006
【図５】
2020179495.tif 000007
【図６】
2020179495.tif 000008
【図７】
2020179495.tif 000009
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
正面視で、主体及び前記主体の中に設置された第一スライドチャンバを含み、前記第一スライドチャンバの中には第一スライドブロックが設置され、前記第一スライドブロックの頂壁の中には第二スライドチャンバが設置され、前記第二スライドチャンバの左右端壁の中には伝動チャンバが対称的に設置され、前記第二スライドチャンバの中には第二スライドブロックが設置され、前記第二スライドブロックの頂壁には水晶固定溝が設置され、前記第二スライドブロックの中にはネジ山孔が設置され、前記ネジ山孔の中にはネジ山ロッドがネジ山により連結され、前記ネジ山ロッドの左右両側の末端が前記伝動チャンバの中に伸びており、且つ前記ネジ山ロッドの左右両側の末端には第一ベベルギヤが固定的に設置され、前記伝動チャンバの中にはスプラインスリーブが回転できるように設置され、前記スプラインスリーブの外面には前記第一ベベルギヤと噛み合っている第二ベベルギヤが固定的に設置され、前記スプラインスリーブの中にはスプライン孔が設置され、前記スプライン孔の中にはスプライン軸がスプラインにより連結され、前記スプライン軸の底部末端が前記第一スライドチャンバの底壁の中に設置されたベルトチャンバの中に伸びており、且つ前記スプライン軸の底部末端には第一プーリが固定的に装着され、前記第一スライドチャンバの底壁の中には第一スライド溝が設置され、前記第一スライド溝の左右端壁の中にはロック溝が設置され、前記第一スライド溝の中には前記第一スライドブロックと固定的に連結された第一スライドロッドが設置され、前記第一スライドロッドと前記第一スライド溝の端壁との間には前記第一スライドロッドに下への作用力を加える第一復帰装置が弾性を持つように設置され、前記第二スライドチャンバの底壁の中には第二スライド溝が設置され、前記第二スライド溝の中には第二スライドロッドが設置され、前記第二スライドロッドと前記第二スライド溝の端壁との間には前記第二スライドロッドに上への作用力を加える第二復帰装置が弾性を持つように設置され、前記第二スライド溝の左右端壁の中には第三スライド溝が設置され、前記第三スライド溝の中には内部に斜め孔が設置された第三スライドロッドが設置され、左右二つの前記第三スライドロッドの間には押圧バネが設置されており、
前記主体の頂壁には前後対称の凸台が固定的に設置され、後側の前記凸台の中には噛み合いチャンバが設置され、前記噛み合いチャンバの前側壁の中には第一回転軸が回転できるように設置され、前記噛み合いチャンバの中の前記第一回転軸の末端には第三ベベルギヤが固定的に設置され、前記第一回転軸のうち前記噛み合いチャンバから離れている片側には第四ベベルギヤが固定的に設置され、前記噛み合いチャンバの底壁の中にはギヤチャンバが設置され、前記ギヤチャンバと左右二つの前記ベルトチャンバとの間には第二回転軸が回転できるように設置され、前記ベルトチャンバの中の前記第二回転軸の末端には第二プーリが固定的に設置され、前記第二プーリと前記第一プーリとの間はベルトにより伝動できるように連結され、前記ギヤチャンバの中の前記第二回転軸の末端には第一ギヤが固定的に設置され、前記噛み合いチャンバと前記ギヤチャンバとの間には第三回転軸が回転できるように設置され、前記噛み合いチャンバの中の前記第三回転軸の末端には前記第三ベベルギヤと噛み合っている第五ベベルギヤが固定的に設置され、前記ギヤチャンバの中の前記第三回転軸の底部が前記ギヤチャンバの底壁の中に固定的に設置された第一モータと動力が伝達できるように連結され、前記ギヤチャンバの中の前記第三回転軸の外面には第二ギヤと、前記第二ギヤの上方に位置している回転ロッドが固定的に設置され、前記回転ロッドの底壁の中には前記第二ギヤと左側の前記第一ギヤと噛み合っている第三ギヤが回転できるように設置され、前記ギヤチャンバの頂壁の中には第四スライド溝が設置され、前記第四スライド溝の中には第四スライドロッドがスライドできるように設置され、前記第四スライドロッドの中には空きチャンバが設置され、前記空きチャンバの上下端壁には第一ラックが対称的に設置され、前記第四スライドロッドの底部には前記回転ロッドの両側に位置しているリミットブロックが固定的に設置され、前記第四スライド溝の前側壁の中にはラチェットギヤチャンバが設置され、前記ラチェットギヤチャンバと前記第四スライド溝との間には第四回転軸が回転できるように設置され、前記第四スライド溝の中の前記第四回転軸の末端にはセクタギヤが固定的に設置され、前記ラチェットギヤチャンバの前側壁の中にはラックチャンバが設置され、前記ラチェットギヤチャンバと前記ラックチャンバとの間には第五回転軸が回転できるように設置され、前記ラチェットギヤチャンバの中の前記第五回転軸と前記第四回転軸との間にはラチェットギヤ装置が設置され、前記ラックチャンバの中の前記第五回転軸の末端には第四ギヤが固定的に設置され、前記第一スライドチャンバの底壁の中には前記ラックチャンバを貫通している第五スライド溝が設置され、前記第五スライド溝の中には前記第四ギヤと噛み合っている第二ラックがスライドできるように設置され、前記第二ラックが前記第一スライドブロックと固定的に連結され、前記第一モータが回転して前記第二スライドブロックを連動させて左右へ移動させることができ、
前側の前記凸台の中にはウォームホイールチャンバが設置され、前記ウォームホイールチャンバの前側壁の中には回転チャンバが設置され、前記ウォームホイールチャンバの底壁の中にはカムチャンバが設置され、前記ウォームホイールチャンバの中には第六回転軸が回転できるように設置され、前記ウォームホイールチャンバの中の前記第六回転軸の外面にはウォームホイールが固定的に設置され、前記第六回転軸の後側末端には回転台が固定的に設置され、前記第六回転軸の前側末端が前記回転チャンバに伸びており、且つ前記第六回転軸の前側末端には第五ギヤが固定的に設置され、前記カムチャンバと前記回転チャンバとの間には第七回転軸が回転できるように設置され、前記カムチャンバの中の前記第七回転軸の末端にはカムが固定的に設置され、前記回転チャンバの中の前記第七回転軸の末端には前記第五ギヤと噛み合っている第六ギヤが固定的に設置され、前記ウォームホイールチャンバの中にはウォームホイールと噛み合っているウォームが回転できるように設置され、前記ウォームの末端が前記ウォームホイールチャンバの端壁の中に固定的に設置された第二モータと動力が伝達できるように連結され、前記回転台の中には収容チャンバが設置され、前記収容チャンバの端壁の中には三組の第八回転軸が中心対称的に、且つ回転できるように設置され、前記収容チャンバの中の前記第八回転軸の末端には第五ベベルギヤが固定的に設置され、前記第八回転軸のうち前記収容チャンバから離れている片側の末端には異なるメッシュ数の研磨ブロックが固定的に設置され、前記回転台が百二十度回転し、これにより精度がもっと高い研磨ブロックを取り替えることを特徴とする水晶研磨装置。
【手続補正２】
【補正対象書類名】明細書
【補正対象項目名】全文
【補正方法】変更
【補正の内容】
【発明の詳細な説明】
【技術分野】
【０００１】
本発明は水晶加工分野を取り上げて、具体的には水晶研磨装置である。
【背景技術】
【０００２】
人々は水晶を研磨する時、いつも水晶の研磨に対する精度の要求が高いので異なるメッシュ数の研磨ブロックを取り替えて研磨をし、従来の研磨設備は便利に研磨ブロックを取り替えることができないため、研磨効率が低く、そこで、上記の問題を解決するために水晶研磨装置が必要となる。
【先行技術文献】
【特許文献】
【０００３】
【特許文献１】中国特許出願公開第１０４３０８６８８号明細書
【発明の概要】
【発明が解決しようとする課題】
【０００４】
本発明は水晶研磨装置を提供し、従来技術における上記欠点を解消し、設備の実用性を高めることを目的とする。
【課題を解決するための手段】
【０００５】
本発明の水晶研磨装置は、主体及び前記主体の中に設置された第一スライドチャンバを含み、前記第一スライドチャンバの中には第一スライドブロックが設置され、前記第一スライドブロックの頂壁の中には第二スライドチャンバが設置され、前記第二スライドチャンバの左右端壁の中には伝動チャンバが対称的に設置され、前記第二スライドチャンバの中には第二スライドブロックが設置され、前記第二スライドブロックの頂壁には水晶固定溝が設置され、前記第二スライドブロックの中にはネジ山孔が設置され、前記ネジ山孔の中にはネジ山ロッドがネジ山により連結され、前記ネジ山ロッドの左右両側の末端が前記伝動チャンバの中に伸びており、且つ前記ネジ山ロッドの左右両側の末端には第一ベベルギヤが固定的に設置され、前記伝動チャンバの中にはスプラインスリーブが回転できるように設置され、前記スプラインスリーブの外面には前記第一ベベルギヤと噛み合っている第二ベベルギヤが固定的に設置され、前記スプラインスリーブの中にはスプライン孔が設置され、前記スプライン孔の中にはスプライン軸がスプラインにより連結され、前記スプライン軸の底部末端が前記第一スライドチャンバの底壁の中に設置されたベルトチャンバの中に伸びており、且つ前記スプライン軸の底部末端には第一プーリが固定的に装着され、前記第一スライドチャンバの底壁の中には第一スライド溝が設置され、前記第一スライド溝の左右端壁の中にはロック溝が設置され、前記第一スライド溝の中には前記第一スライドブロックと固定的に連結された第一スライドロッドが設置され、前記第一スライドロッドと前記第一スライド溝の端壁との間には前記第一スライドロッドに下への作用力を加える第一復帰装置が弾性を持つように設置され、前記第二スライドチャンバの底壁の中には第二スライド溝が設置され、前記第二スライド溝の中には第二スライドロッドが設置され、前記第二スライドロッドと前記第二スライド溝の端壁との間には前記第二スライドロッドに上への作用力を加える第二復帰装置が弾性を持つように設置され、前記第二スライド溝の左右端壁の中には第三スライド溝が設置され、前記第三スライド溝の中には内部に斜め孔が設置された第三スライドロッドが設置され、左右二つの前記第三スライドロッドの間には押圧バネが設置される。
【０００６】
好ましくは、前記主体の頂壁には前後対称の凸台が固定的に設置され、後側の前記凸台の中には噛み合いチャンバが設置され、前記噛み合いチャンバの前側壁の中には第一回転軸が回転できるように設置され、前記噛み合いチャンバの中の前記第一回転軸の末端には第三ベベルギヤが固定的に設置され、前記第一回転軸のうち前記噛み合いチャンバから離れている片側には第四ベベルギヤが固定的に設置され、前記噛み合いチャンバの底壁の中にはギヤチャンバが設置され、前記ギヤチャンバと左右二つの前記ベルトチャンバとの間には第二回転軸が回転できるように設置され、前記ベルトチャンバの中の前記第二回転軸の末端には第二プーリが固定的に設置され、前記第二プーリと前記第一プーリとの間はベルトにより伝動できるように連結され、前記ギヤチャンバの中の前記第二回転軸の末端には第一ギヤが固定的に設置され、前記噛み合いチャンバと前記ギヤチャンバとの間には第三回転軸が回転できるように設置され、前記噛み合いチャンバの中の前記第三回転軸の末端には前記第三ベベルギヤと噛み合っている第五ベベルギヤが固定的に設置され、前記ギヤチャンバの中の前記第三回転軸の底部が前記ギヤチャンバの底壁の中に固定的に設置された第一モータと動力が伝達できるように連結され、前記ギヤチャンバの中の前記第三回転軸の外面には第二ギヤと、前記第二ギヤの上方に位置している回転ロッドが固定的に設置され、前記回転ロッドの底壁の中には前記第二ギヤと左側の前記第一ギヤと噛み合っている第三ギヤが回転できるように設置され、前記ギヤチャンバの頂壁の中には第四スライド溝が設置され、前記第四スライド溝の中には第四スライドロッドがスライドできるように設置され、前記第四スライドロッドの中には空きチャンバが設置され、前記空きチャンバの上下端壁には第一ラックが対称的に設置され、前記第四スライドロッドの底部には前記回転ロッドの両側に位置しているリミットブロックが固定的に設置され、前記第四スライド溝の前側壁の中にはラチェットギヤチャンバが設置され、前記ラチェットギヤチャンバと前記第四スライド溝との間には第四回転軸が回転できるように設置され、前記第四スライド溝の中の前記第四回転軸の末端にはセクタギヤが固定的に設置され、前記ラチェットギヤチャンバの前側壁の中にはラックチャンバが設置され、前記ラチェットギヤチャンバと前記ラックチャンバとの間には第五回転軸が回転できるように設置され、前記ラチェットギヤチャンバの中の前記第五回転軸と前記第四回転軸との間にはラチェットギヤ装置が設置され、前記ラックチャンバの中の前記第五回転軸の末端には第四ギヤが固定的に設置され、前記第一スライドチャンバの底壁の中には前記ラックチャンバを貫通している第五スライド溝が設置され、前記第五スライド溝の中には前記第四ギヤと噛み合っている第二ラックがスライドできるように設置され、前記第二ラックが前記第一スライドブロックと固定的に連結され、前記第一モータが回転して前記第二スライドブロックを連動させて左右へ移動させる。
【０００７】
好ましくは、前側の前記凸台の中にはウォームホイールチャンバが設置され、前記ウォームホイールチャンバの前側壁の中には回転チャンバが設置され、前記ウォームホイールチャンバの底壁の中にはカムチャンバが設置され、前記ウォームホイールチャンバの中には第六回転軸が回転できるように設置され、前記ウォームホイールチャンバの中の前記第六回転軸の外面にはウォームホイールが固定的に設置され、前記第六回転軸の後側末端には回転台が固定的に設置され、前記第六回転軸の前側末端が前記回転チャンバに伸びており、且つ前記第六回転軸の前側末端には第五ギヤが固定的に設置され、前記カムチャンバと前記回転チャンバとの間には第七回転軸が回転できるように設置され、前記カムチャンバの中の前記第七回転軸の末端にはカムが固定的に設置され、前記回転チャンバの中の前記第七回転軸の末端には前記第五ギヤと噛み合っている第六ギヤが固定的に設置され、前記ウォームホイールチャンバの中にはウォームホイールと噛み合っているウォームが回転できるように設置され、前記ウォームの末端が前記ウォームホイールチャンバの端壁の中に固定的に設置された第二モータと動力が伝達できるように連結され、前記回転台の中には収容チャンバが設置され、前記収容チャンバの端壁の中には三組の第八回転軸が中心対称的に、且つ回転できるように設置され、前記収容チャンバの中の前記第八回転軸の末端には第五ベベルギヤが固定的に設置され、前記第八回転軸のうち前記収容チャンバから離れている片側の末端には異なるメッシュ数の研磨ブロックが固定的に設置され、前記回転台が百二十度回転し、これにより精度がもっと高い研磨ブロックを取り替える。
【発明の効果】
【０００８】
本発明の有益効果は：本発明の設備は異なる精度の研磨ブロックを連動させて水晶を研磨させることができ、設備は自動的に研磨ブロックを取り替えることができるだけではなく、水晶を自動的に連動させて左右へ移動させることができ、使用しやすく、研磨の精度が高い。
【図面の簡単な説明】
【０００９】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶研磨装置の全体構成模式図
【図２】図２は図１のＡ―Ａの構成模式図
【図３】図３は図２のＢ―Ｂの構成模式図
【図４】図４は図２のＣの拡大構成模式図
【図５】図５は図４のＤ―Ｄの構成模式図
【図６】図６は図４のＥ―Ｅの構成模式図
【図７】図７は図４のＦ―Ｆの構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。  
【００１２】
図１〜７に示すように、本発明の水晶研磨装置は、主体１０及び前記主体１０の中に設置された第一スライドチャンバ１７を含み、前記第一スライドチャンバ１７の中には第一スライドブロック１５が設置され、前記第一スライドブロック１５の頂壁の中には第二スライドチャンバ２８が設置され、前記第二スライドチャンバ２８の左右端壁の中には伝動チャンバ１６が対称的に設置され、前記第二スライドチャンバ２８の中には第二スライドブロック１８が設置され、前記第二スライドブロック１８の頂壁には水晶固定溝１９が設置され、前記第二スライドブロック１８の中にはネジ山孔２０が設置され、前記ネジ山孔２０の中にはネジ山ロッド２７がネジ山により連結され、前記ネジ山ロッド２７の左右両側の末端が前記伝動チャンバ１６の中に伸びており、且つ前記ネジ山ロッド２７の左右両側の末端には第一ベベルギヤ１９が固定的に設置され、前記伝動チャンバ１６の中にはスプラインスリーブ３１が回転できるように設置され、前記スプラインスリーブ３１の外面には前記第一ベベルギヤ１９と噛み合っている第二ベベルギヤ３０が固定的に設置され、前記スプラインスリーブ３１の中にはスプライン孔３２が設置され、前記スプライン孔３２の中にはスプライン軸１４がスプラインにより連結され、前記スプライン軸１４の底部末端が前記第一スライドチャンバ１７の底壁の中に設置されたベルトチャンバ１２の中に伸びており、且つ前記スプライン軸１４の底部末端には第一プーリ１３が固定的に装着され、前記第一スライドチャンバ１７の底壁の中には第一スライド溝３９が設置され、前記第一スライド溝３９の左右端壁の中にはロック溝４３が設置され、前記第一スライド溝３９の中には前記第一スライドブロック１５と固定的に連結された第一スライドロッド４４が設置され、前記第一スライドロッド４４と前記第一スライド溝３９の端壁との間には前記第一スライドロッド４４に下への作用力を加える第一復帰装置４５が弾性を持つように設置され、前記第二スライドチャンバ２８の底壁の中には第二スライド溝４１が設置され、前記第二スライド溝４１の中には第二スライドロッド３７が設置され、前記第二スライドロッド３７と前記第二スライド溝４１の端壁との間には前記第二スライドロッド３７に上への作用力を加える第二復帰装置３６が弾性を持つように設置され、前記第二スライド溝４１の左右端壁の中には第三スライド溝３８が設置され、前記第三スライド溝３８の中には内部に斜め孔が設置された第三スライドロッド４２が設置され、左右二つの前記第三スライドロッド４２の間には押圧バネ４０が設置される。
【００１３】
有益的には、前記主体１０の頂壁には前後対称の凸台８１が固定的に設置され、後側の前記凸台８１の中には噛み合いチャンバ５０が設置され、前記噛み合いチャンバ５０の前側壁の中には第一回転軸４７が回転できるように設置され、前記噛み合いチャンバ５０の中の前記第一回転軸４７の末端には第三ベベルギヤ４８が固定的に設置され、前記第一回転軸４７のうち前記噛み合いチャンバ５０から離れている片側には第四ベベルギヤ４６が固定的に設置され、前記噛み合いチャンバ５０の底壁の中にはギヤチャンバ７８が設置され、前記ギヤチャンバ７８と左右二つの前記ベルトチャンバ１２との間には第二回転軸７７が回転できるように設置され、前記ベルトチャンバ１２の中の前記第二回転軸７７の末端には第二プーリ３５が固定的に設置され、前記第二プーリ３５と前記第一プーリ１３との間はベルト３４により伝動できるように連結され、前記ギヤチャンバ７８の中の前記第二回転軸７７の末端には第一ギヤ７６が固定的に設置され、前記噛み合いチャンバ５０と前記ギヤチャンバ７８との間には第三回転軸５１が回転できるように設置され、前記噛み合いチャンバ５０の中の前記第三回転軸５１の末端には前記第三ベベルギヤ４８と噛み合っている第五ベベルギヤ４９が固定的に設置され、前記ギヤチャンバ７８の中の前記第三回転軸５１の底部が前記ギヤチャンバ７８の底壁の中に固定的に設置された第一モータ６５と動力が伝達できるように連結され、前記ギヤチャンバ７８の中の前記第三回転軸５１の外面には第二ギヤ６４と、前記第二ギヤ６４の上方に位置している回転ロッド７４が固定的に設置され、前記回転ロッド７４の底壁の中には前記第二ギヤ６４と左側の前記第一ギヤ７６と噛み合っている第三ギヤ７５が回転できるように設置され、前記ギヤチャンバ７８の頂壁の中には第四スライド溝８５が設置され、前記第四スライド溝８５の中には第四スライドロッド７３がスライドできるように設置され、前記第四スライドロッド７３の中には空きチャンバ８３が設置され、前記空きチャンバ８３の上下端壁には第一ラック８２が対称的に設置され、前記第四スライドロッド７３の底部には前記回転ロッド７４の両側に位置しているリミットブロック８４が固定的に設置され、前記第四スライド溝８５の前側壁の中にはラチェットギヤチャンバ７０が設置され、前記ラチェットギヤチャンバ７０と前記第四スライド溝８５との間には第四回転軸７１が回転できるように設置され、前記第四スライド溝８５の中の前記第四回転軸７１の末端にはセクタギヤ７２が固定的に設置され、前記ラチェットギヤチャンバ７０の前側壁の中にはラックチャンバ６６が設置され、前記ラチェットギヤチャンバ７０と前記ラックチャンバ６６との間には第五回転軸６８が回転できるように設置され、前記ラチェットギヤチャンバ７０の中の前記第五回転軸６８と前記第四回転軸７１との間にはラチェットギヤ装置６９が設置され、前記ラックチャンバ６６の中の前記第五回転軸６８の末端には第四ギヤ６７が固定的に設置され、前記第一スライドチャンバ１７の底壁の中には前記ラックチャンバ６６を貫通している第五スライド溝８０が設置され、前記第五スライド溝８０の中には前記第四ギヤ６７と噛み合っている第二ラック７９がスライドできるように設置され、前記第二ラック７９が前記第一スライドブロック１５と固定的に連結され、前記第一モータ６５が回転して前記第二スライドブロック１８を連動させて左右へ移動させる。
【００１４】
有益的には、前側の前記凸台８１の中にはウォームホイールチャンバ６２が設置され、前記ウォームホイールチャンバ６２の前側壁の中には回転チャンバ６１が設置され、前記ウォームホイールチャンバ６２の底壁の中にはカムチャンバ５６が設置され、前記ウォームホイールチャンバ６２の中には第六回転軸５８が回転できるように設置され、前記ウォームホイールチャンバ６２の中の前記第六回転軸５８の外面にはウォームホイール５７が固定的に設置され、前記第六回転軸５８の後側末端には回転台２５が固定的に設置され、前記第六回転軸５８の前側末端が前記回転チャンバ６１に伸びており、且つ前記第六回転軸５８の前側末端には第五ギヤ５９が固定的に設置され、前記カムチャンバ５６と前記回転チャンバ６１との間には第七回転軸５４が回転できるように設置され、前記カムチャンバ５６の中の前記第七回転軸５４の末端にはカム５３が固定的に設置され、前記回転チャンバ６１の中の前記第七回転軸５４の末端には前記第五ギヤ５９と噛み合っている第六ギヤ５５が固定的に設置され、前記ウォームホイールチャンバ６２の中にはウォームホイール５７と噛み合っているウォーム６０が回転できるように設置され、前記ウォーム６０の末端が前記ウォームホイールチャンバ６２の端壁の中に固定的に設置された第二モータ６３と動力が伝達できるように連結され、前記回転台２５の中には収容チャンバ２１が設置され、前記収容チャンバ２１の端壁の中には三組の第八回転軸２３が中心対称的に、且つ回転できるように設置され、前記収容チャンバ２１の中の前記第八回転軸２３の末端には第五ベベルギヤ３３が固定的に設置され、前記第八回転軸２３のうち前記収容チャンバ２１から離れている片側の末端には異なるメッシュ数の研磨ブロック２４が固定的に設置され、前記回転台２５が百二十度回転し、これにより精度がもっと高い研磨ブロック２４を取り替える。
【００１５】
以下、出願人は付図１〜７及び上記の本出願の水晶研磨装置の具体的な構成を参照してその作動プロセスを詳しく紹介する：
【００１６】
研磨待ちの水晶を水晶固定溝１９の中に置き、この時、第一モータ６５を始動して回転させ、これにより第五ベベルギヤ４９と、第三ベベルギヤ４８と、第四ベベルギヤ４６と、第五ベベルギヤ３３と、研磨ブロック２４とを連動させて回転させ、同時に第一モータ６５が回転して第二ギヤ６４と第三ギヤ７５とを連動させて回転させ、これにより左側の第一ギヤ７６と、第二プーリ３５と、第一プーリ１３と、スプライン軸１４と、スプラインスリーブ３１と、第二ベベルギヤ３０と、第一ベベルギヤ２９と、ネジ山ロッド２７とを連動させて回転させ、これにより第二スライドブロック１８を連動させて右方へ移動させ、これにより第二スライドロッド３７を連動させて下方へ移動させ、これにより第三スライドロッド４２を連動させて移動させてロック溝４３から出させ、この時、第一スライドブロック１５が第一復帰装置４５の作用のもとで上方へ移動し、これにより水晶を連動させて研磨ブロック２４と当接させ、この時、水晶が右方へ移動して研磨をし、第一スライドブロック１５が一番右側まで移動する時、第二スライドロッド３７が当接を失って上方へ移動し、第二モータ６３を始動して回転させ、これによりウォーム６０と、ウォームホイール５７と、回転台２５と、第五ギヤ５９とを連動させて回転させ、第五ギヤ５９が回転して第六ギヤ５５とカム６３とを連動させて回転させ、これにより第一スライドブロック１５を連動させて下方へ移動させ、これにより第二ラック７９を連動させて下方へ移動させ、これにより第四ギヤ６７を連動させて回転させ、この時、ラチェットギヤ装置６９が回転してセクタギヤ７２を連動させて回転させ、これにより第四スライドロッド７３を連動させて移動させ、これにより回転ロッド７４を連動させて回転させ、これにより第三ギヤ７５を連動させて右側の第一ギヤ７６と噛み合わせ、同時に第三スライド溝３８が下方へ移動してロック溝４３と同じ水平面に位置し、第三スライドロッド４２がロック溝４３の中に入って第一スライドブロック１５を第一スライドチャンバ１７の下方に固定し、同時に回転台２５が百二十度回転し、これにより精度がもっと高い研磨ブロック２４を取り替え、この時、第一モータ６５を再び始動して回転させ、これにより第二ギヤ６４と第三ギヤ７５とを連動させて回転させ、この時、第三ギヤ７５が右側の第一ギヤ７６と噛み合っているので、第三ギヤ７５が回転してネジ山ロッド２７を連動させて逆方向へ回転させ、これにより第二スライドブロック１８を連動させて左方へ移動させ、水晶を再び研磨し、三回研磨した後、水晶の研磨が完成する。
【００１７】
上記の詳しい分析から分かることは：本発明の設備は異なる精度の研磨ブロックを連動させて水晶を研磨させることができ、設備は自動的に研磨ブロックを取り替えることができるだけではなく、水晶を自動的に連動させて左右へ移動させることができ、使用しやすく、研磨の精度が高い。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【手続補正書】
【提出日】令和1年8月15日(2019.8.15)
【手続補正１】
【補正対象書類名】明細書
【補正対象項目名】全文
【補正方法】変更
【補正の内容】
【発明の詳細な説明】
【技術分野】
【０００１】
本発明は水晶加工分野を取り上げて、具体的には水晶研磨装置である。
【背景技術】
【０００２】
人々は水晶を研磨する時、いつも水晶の研磨に対する精度の要求が高いので異なるメッシュ数の研磨ブロックを取り替えて研磨をし、従来の研磨設備は便利に研磨ブロックを取り替えることができないため、研磨効率が低く、そこで、上記の問題を解決するために水晶研磨装置が必要となる。
【先行技術文献】
【特許文献】
【０００３】
【特許文献１】中国特許出願公開第１０４３０８６８８号明細書
【発明の概要】
【発明が解決しようとする課題】
【０００４】
本発明は水晶研磨装置を提供し、従来技術における上記欠点を解消し、設備の実用性を高めることを目的とする。
【課題を解決するための手段】
【０００５】
本発明の水晶研磨装置は、主体及び前記主体の中に設置された第一スライドチャンバを含み、前記第一スライドチャンバの中には第一スライドブロックが設置され、前記第一スライドブロックの頂壁の中には第二スライドチャンバが設置され、前記第二スライドチャンバの左右端壁の中には伝動チャンバが対称的に設置され、前記第二スライドチャンバの中には第二スライドブロックが設置され、前記第二スライドブロックの頂壁には水晶固定溝が設置され、前記第二スライドブロックの中にはネジ山孔が設置され、前記ネジ山孔の中にはネジ山ロッドがネジ山により連結され、前記ネジ山ロッドの左右両側の末端が前記伝動チャンバの中に伸びており、且つ前記ネジ山ロッドの左右両側の末端には第一ベベルギヤが固定的に設置され、前記伝動チャンバの中にはスプラインスリーブが回転できるように設置され、前記スプラインスリーブの外面には前記第一ベベルギヤと噛み合っている第二ベベルギヤが固定的に設置され、前記スプラインスリーブの中にはスプライン孔が設置され、前記スプライン孔の中にはスプライン軸がスプラインにより連結され、前記スプライン軸の底部末端が前記第一スライドチャンバの底壁の中に設置されたベルトチャンバの中に伸びており、且つ前記スプライン軸の底部末端には第一プーリが固定的に装着され、前記第一スライドチャンバの底壁の中には第一スライド溝が設置され、前記第一スライド溝の左右端壁の中にはロック溝が設置され、前記第一スライド溝の中には前記第一スライドブロックと固定的に連結された第一スライドロッドが設置され、前記第一スライドロッドと前記第一スライド溝の端壁との間には前記第一スライドロッドに下への作用力を加える第一復帰装置が弾性を持つように設置され、前記第二スライドチャンバの底壁の中には第二スライド溝が設置され、前記第二スライド溝の中には第二スライドロッドが設置され、前記第二スライドロッドと前記第二スライド溝の端壁との間には前記第二スライドロッドに上への作用力を加える第二復帰装置が弾性を持つように設置され、前記第二スライド溝の左右端壁の中には第三スライド溝が設置され、前記第三スライド溝の中には内部に斜め孔が設置された第三スライドロッドが設置され、左右二つの前記第三スライドロッドの間には押圧バネが設置される。
【０００６】
好ましくは、前記主体の頂壁には前後対称の凸台が固定的に設置され、後側の前記凸台の中には噛み合いチャンバが設置され、前記噛み合いチャンバの前側壁の中には第一回転軸が回転できるように設置され、前記噛み合いチャンバの中の前記第一回転軸の末端には第三ベベルギヤが固定的に設置され、前記第一回転軸のうち前記噛み合いチャンバから離れている片側には第四ベベルギヤが固定的に設置され、前記噛み合いチャンバの底壁の中にはギヤチャンバが設置され、前記ギヤチャンバと左右二つの前記ベルトチャンバとの間には第二回転軸が回転できるように設置され、前記ベルトチャンバの中の前記第二回転軸の末端には第二プーリが固定的に設置され、前記第二プーリと前記第一プーリとの間はベルトにより伝動できるように連結され、前記ギヤチャンバの中の前記第二回転軸の末端には第一ギヤが固定的に設置され、前記噛み合いチャンバと前記ギヤチャンバとの間には第三回転軸が回転できるように設置され、前記噛み合いチャンバの中の前記第三回転軸の末端には前記第三ベベルギヤと噛み合っている第五ベベルギヤが固定的に設置され、前記ギヤチャンバの中の前記第三回転軸の底部が前記ギヤチャンバの底壁の中に固定的に設置された第一モータと動力が伝達できるように連結され、前記ギヤチャンバの中の前記第三回転軸の外面には第二ギヤと、前記第二ギヤの上方に位置している回転ロッドが固定的に設置され、前記回転ロッドの底壁の中には前記第二ギヤと左側の前記第一ギヤと噛み合っている第三ギヤが回転できるように設置され、前記ギヤチャンバの頂壁の中には第四スライド溝が設置され、前記第四スライド溝の中には第四スライドロッドがスライドできるように設置され、前記第四スライドロッドの中には空きチャンバが設置され、前記空きチャンバの上下端壁には第一ラックが対称的に設置され、前記第四スライドロッドの底部には前記回転ロッドの両側に位置しているリミットブロックが固定的に設置され、前記第四スライド溝の前側壁の中にはラチェットギヤチャンバが設置され、前記ラチェットギヤチャンバと前記第四スライド溝との間には第四回転軸が回転できるように設置され、前記第四スライド溝の中の前記第四回転軸の末端にはセクタギヤが固定的に設置され、前記ラチェットギヤチャンバの前側壁の中にはラックチャンバが設置され、前記ラチェットギヤチャンバと前記ラックチャンバとの間には第五回転軸が回転できるように設置され、前記ラチェットギヤチャンバの中の前記第五回転軸と前記第四回転軸との間にはラチェットギヤ装置が設置され、前記ラックチャンバの中の前記第五回転軸の末端には第四ギヤが固定的に設置され、前記第一スライドチャンバの底壁の中には前記ラックチャンバを貫通している第五スライド溝が設置され、前記第五スライド溝の中には前記第四ギヤと噛み合っている第二ラックがスライドできるように設置され、前記第二ラックが前記第一スライドブロックと固定的に連結され、前記第一モータが回転して前記第二スライドブロックを連動させて左右へ移動させる。
【０００７】
好ましくは、前側の前記凸台の中にはウォームホイールチャンバが設置され、前記ウォームホイールチャンバの前側壁の中には回転チャンバが設置され、前記ウォームホイールチャンバの底壁の中にはカムチャンバが設置され、前記ウォームホイールチャンバの中には第六回転軸が回転できるように設置され、前記ウォームホイールチャンバの中の前記第六回転軸の外面にはウォームホイールが固定的に設置され、前記第六回転軸の後側末端には回転台が固定的に設置され、前記第六回転軸の前側末端が前記回転チャンバに伸びており、且つ前記第六回転軸の前側末端には第五ギヤが固定的に設置され、前記カムチャンバと前記回転チャンバとの間には第七回転軸が回転できるように設置され、前記カムチャンバの中の前記第七回転軸の末端にはカムが固定的に設置され、前記回転チャンバの中の前記第七回転軸の末端には前記第五ギヤと噛み合っている第六ギヤが固定的に設置され、前記ウォームホイールチャンバの中にはウォームホイールと噛み合っているウォームが回転できるように設置され、前記ウォームの末端が前記ウォームホイールチャンバの端壁の中に固定的に設置された第二モータと動力が伝達できるように連結され、前記回転台の中には収容チャンバが設置され、前記収容チャンバの端壁の中には三組の第八回転軸が中心対称的に、且つ回転できるように設置され、前記収容チャンバの中の前記第八回転軸の末端には第五ベベルギヤが固定的に設置され、前記第八回転軸のうち前記収容チャンバから離れている片側の末端には異なるメッシュ数の研磨ブロックが固定的に設置され、前記回転台が百二十度回転し、これにより精度がもっと高い研磨ブロックを取り替える。
【発明の効果】
【０００８】
本発明の有益効果は：本発明の設備は異なる精度の研磨ブロックを連動させて水晶を研磨させることができ、設備は自動的に研磨ブロックを取り替えることができるだけではなく、水晶を自動的に連動させて左右へ移動させることができ、使用しやすく、研磨の精度が高い。
【図面の簡単な説明】
【０００９】
下記に図１〜７をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶研磨装置の全体構成模式図
【図２】図２は図１のＡ―Ａの構成模式図
【図３】図３は図２のＢ―Ｂの構成模式図
【図４】図４は図２のＣの拡大構成模式図
【図５】図５は図４のＤ―Ｄの構成模式図
【図６】図６は図４のＥ―Ｅの構成模式図
【図７】図７は図４のＦ―Ｆの構成模式図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。  
【００１２】
図１〜７に示すように、本発明の水晶研磨装置は、主体１０及び前記主体１０の中に設置された第一スライドチャンバ１７を含み、前記第一スライドチャンバ１７の中には第一スライドブロック１５が設置され、前記第一スライドブロック１５の頂壁の中には第二スライドチャンバ２８が設置され、前記第二スライドチャンバ２８の左右端壁の中には伝動チャンバ１６が対称的に設置され、前記第二スライドチャンバ２８の中には第二スライドブロック１８が設置され、前記第二スライドブロック１８の頂壁には水晶固定溝１９が設置され、前記第二スライドブロック１８の中にはネジ山孔２０が設置され、前記ネジ山孔２０の中にはネジ山ロッド２７がネジ山により連結され、前記ネジ山ロッド２７の左右両側の末端が前記伝動チャンバ１６の中に伸びており、且つ前記ネジ山ロッド２７の左右両側の末端には第一ベベルギヤ１９が固定的に設置され、前記伝動チャンバ１６の中にはスプラインスリーブ３１が回転できるように設置され、前記スプラインスリーブ３１の外面には前記第一ベベルギヤ１９と噛み合っている第二ベベルギヤ３０が固定的に設置され、前記スプラインスリーブ３１の中にはスプライン孔３２が設置され、前記スプライン孔３２の中にはスプライン軸１４がスプラインにより連結され、前記スプライン軸１４の底部末端が前記第一スライドチャンバ１７の底壁の中に設置されたベルトチャンバ１２の中に伸びており、且つ前記スプライン軸１４の底部末端には第一プーリ１３が固定的に装着され、前記第一スライドチャンバ１７の底壁の中には第一スライド溝３９が設置され、前記第一スライド溝３９の左右端壁の中にはロック溝４３が設置され、前記第一スライド溝３９の中には前記第一スライドブロック１５と固定的に連結された第一スライドロッド４４が設置され、前記第一スライドロッド４４と前記第一スライド溝３９の端壁との間には前記第一スライドロッド４４に下への作用力を加える第一復帰装置４５が弾性を持つように設置され、前記第二スライドチャンバ２８の底壁の中には第二スライド溝４１が設置され、前記第二スライド溝４１の中には第二スライドロッド３７が設置され、前記第二スライドロッド３７と前記第二スライド溝４１の端壁との間には前記第二スライドロッド３７に上への作用力を加える第二復帰装置３６が弾性を持つように設置され、前記第二スライド溝４１の左右端壁の中には第三スライド溝３８が設置され、前記第三スライド溝３８の中には内部に斜め孔が設置された第三スライドロッド４２が設置され、左右二つの前記第三スライドロッド４２の間には押圧バネ４０が設置される。
【００１３】
有益的には、前記主体１０の頂壁には前後対称の凸台８１が固定的に設置され、後側の前記凸台８１の中には噛み合いチャンバ５０が設置され、前記噛み合いチャンバ５０の前側壁の中には第一回転軸４７が回転できるように設置され、前記噛み合いチャンバ５０の中の前記第一回転軸４７の末端には第三ベベルギヤ４８が固定的に設置され、前記第一回転軸４７のうち前記噛み合いチャンバ５０から離れている片側には第四ベベルギヤ４６が固定的に設置され、前記噛み合いチャンバ５０の底壁の中にはギヤチャンバ７８が設置され、前記ギヤチャンバ７８と左右二つの前記ベルトチャンバ１２との間には第二回転軸７７が回転できるように設置され、前記ベルトチャンバ１２の中の前記第二回転軸７７の末端には第二プーリ３５が固定的に設置され、前記第二プーリ３５と前記第一プーリ１３との間はベルト３４により伝動できるように連結され、前記ギヤチャンバ７８の中の前記第二回転軸７７の末端には第一ギヤ７６が固定的に設置され、前記噛み合いチャンバ５０と前記ギヤチャンバ７８との間には第三回転軸５１が回転できるように設置され、前記噛み合いチャンバ５０の中の前記第三回転軸５１の末端には前記第三ベベルギヤ４８と噛み合っている第五ベベルギヤ４９が固定的に設置され、前記ギヤチャンバ７８の中の前記第三回転軸５１の底部が前記ギヤチャンバ７８の底壁の中に固定的に設置された第一モータ６５と動力が伝達できるように連結され、前記ギヤチャンバ７８の中の前記第三回転軸５１の外面には第二ギヤ６４と、前記第二ギヤ６４の上方に位置している回転ロッド７４が固定的に設置され、前記回転ロッド７４の底壁の中には前記第二ギヤ６４と左側の前記第一ギヤ７６と噛み合っている第三ギヤ７５が回転できるように設置され、前記ギヤチャンバ７８の頂壁の中には第四スライド溝８５が設置され、前記第四スライド溝８５の中には第四スライドロッド７３がスライドできるように設置され、前記第四スライドロッド７３の中には空きチャンバ８３が設置され、前記空きチャンバ８３の上下端壁には第一ラック８２が対称的に設置され、前記第四スライドロッド７３の底部には前記回転ロッド７４の両側に位置しているリミットブロック８４が固定的に設置され、前記第四スライド溝８５の前側壁の中にはラチェットギヤチャンバ７０が設置され、前記ラチェットギヤチャンバ７０と前記第四スライド溝８５との間には第四回転軸７１が回転できるように設置され、前記第四スライド溝８５の中の前記第四回転軸７１の末端にはセクタギヤ７２が固定的に設置され、前記ラチェットギヤチャンバ７０の前側壁の中にはラックチャンバ６６が設置され、前記ラチェットギヤチャンバ７０と前記ラックチャンバ６６との間には第五回転軸６８が回転できるように設置され、前記ラチェットギヤチャンバ７０の中の前記第五回転軸６８と前記第四回転軸７１との間にはラチェットギヤ装置６９が設置され、前記ラックチャンバ６６の中の前記第五回転軸６８の末端には第四ギヤ６７が固定的に設置され、前記第一スライドチャンバ１７の底壁の中には前記ラックチャンバ６６を貫通している第五スライド溝８０が設置され、前記第五スライド溝８０の中には前記第四ギヤ６７と噛み合っている第二ラック７９がスライドできるように設置され、前記第二ラック７９が前記第一スライドブロック１５と固定的に連結され、前記第一モータ６５が回転して前記第二スライドブロック１８を連動させて左右へ移動させる。
【００１４】
有益的には、前側の前記凸台８１の中にはウォームホイールチャンバ６２が設置され、前記ウォームホイールチャンバ６２の前側壁の中には回転チャンバ６１が設置され、前記ウォームホイールチャンバ６２の底壁の中にはカムチャンバ５６が設置され、前記ウォームホイールチャンバ６２の中には第六回転軸５８が回転できるように設置され、前記ウォームホイールチャンバ６２の中の前記第六回転軸５８の外面にはウォームホイール５７が固定的に設置され、前記第六回転軸５８の後側末端には回転台２５が固定的に設置され、前記第六回転軸５８の前側末端が前記回転チャンバ６１に伸びており、且つ前記第六回転軸５８の前側末端には第五ギヤ５９が固定的に設置され、前記カムチャンバ５６と前記回転チャンバ６１との間には第七回転軸５４が回転できるように設置され、前記カムチャンバ５６の中の前記第七回転軸５４の末端にはカム５３が固定的に設置され、前記回転チャンバ６１の中の前記第七回転軸５４の末端には前記第五ギヤ５９と噛み合っている第六ギヤ５５が固定的に設置され、前記ウォームホイールチャンバ６２の中にはウォームホイール５７と噛み合っているウォーム６０が回転できるように設置され、前記ウォーム６０の末端が前記ウォームホイールチャンバ６２の端壁の中に固定的に設置された第二モータ６３と動力が伝達できるように連結され、前記回転台２５の中には収容チャンバ２１が設置され、前記収容チャンバ２１の端壁の中には三組の第八回転軸２３が中心対称的に、且つ回転できるように設置され、前記収容チャンバ２１の中の前記第八回転軸２３の末端には第五ベベルギヤ３３が固定的に設置され、前記第八回転軸２３のうち前記収容チャンバ２１から離れている片側の末端には異なるメッシュ数の研磨ブロック２４が固定的に設置され、前記回転台２５が百二十度回転し、これにより精度がもっと高い研磨ブロック２４を取り替える。
【００１５】
以下、出願人は付図１〜７及び上記の本出願の水晶研磨装置の具体的な構成を参照してその作動プロセスを詳しく紹介する：
【００１６】
研磨待ちの水晶を水晶固定溝１９の中に置き、この時、第一モータ６５を始動して回転させ、これにより第五ベベルギヤ４９と、第三ベベルギヤ４８と、第四ベベルギヤ４６と、第五ベベルギヤ３３と、研磨ブロック２４とを連動させて回転させ、同時に第一モータ６５が回転して第二ギヤ６４と第三ギヤ７５とを連動させて回転させ、これにより左側の第一ギヤ７６と、第二プーリ３５と、第一プーリ１３と、スプライン軸１４と、スプラインスリーブ３１と、第二ベベルギヤ３０と、第一ベベルギヤ２９と、ネジ山ロッド２７とを連動させて回転させ、これにより第二スライドブロック１８を連動させて右方へ移動させ、これにより第二スライドロッド３７を連動させて下方へ移動させ、これにより第三スライドロッド４２を連動させて移動させてロック溝４３から出させ、この時、第一スライドブロック１５が第一復帰装置４５の作用のもとで上方へ移動し、これにより水晶を連動させて研磨ブロック２４と当接させ、この時、水晶が右方へ移動して研磨をし、第一スライドブロック１５が一番右側まで移動する時、第二スライドロッド３７が当接を失って上方へ移動し、第二モータ６３を始動して回転させ、これによりウォーム６０と、ウォームホイール５７と、回転台２５と、第五ギヤ５９とを連動させて回転させ、第五ギヤ５９が回転して第六ギヤ５５とカム５３とを連動させて回転させ、これにより第一スライドブロック１５を連動させて下方へ移動させ、これにより第二ラック７９を連動させて下方へ移動させ、これにより第四ギヤ６７を連動させて回転させ、この時、ラチェットギヤ装置６９が回転してセクタギヤ７２を連動させて回転させ、これにより第四スライドロッド７３を連動させて移動させ、これにより回転ロッド７４を連動させて回転させ、これにより第三ギヤ７５を連動させて右側の第一ギヤ７６と噛み合わせ、同時に第三スライド溝３８が下方へ移動してロック溝４３と同じ水平面に位置し、第三スライドロッド４２がロック溝４３の中に入って第一スライドブロック１５を第一スライドチャンバ１７の下方に固定し、同時に回転台２５が百二十度回転し、これにより精度がもっと高い研磨ブロック２４を取り替え、この時、第一モータ６５を再び始動して回転させ、これにより第二ギヤ６４と第三ギヤ７５とを連動させて回転させ、この時、第三ギヤ７５が右側の第一ギヤ７６と噛み合っているので、第三ギヤ７５が回転してネジ山ロッド２７を連動させて逆方向へ回転させ、これにより第二スライドブロック１８を連動させて左方へ移動させ、水晶を再び研磨し、三回研磨した後、水晶の研磨が完成する。
【００１７】
上記の詳しい分析から分かることは：本発明の設備は異なる精度の研磨ブロックを連動させて水晶を研磨させることができ、設備は自動的に研磨ブロックを取り替えることができるだけではなく、水晶を自動的に連動させて左右へ移動させることができ、使用しやすく、研磨の精度が高い。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。